(57)【要約】【課題】  浴室内の廃熱を利用して乾燥性を向上させることのできる浴室用床パネルを提供すること。【解決手段】  蓄熱剤が封入されたカプセル１５を樹脂材料が混入されたＳＭＣを、所定の型内で成型し、カプセル１５が略等しく分散した状態で樹脂材料を硬化させることによって浴室用床パネル１０が形成されている。【選択図】      図１
2006299621.tif 000002
【特許請求の範囲】
【請求項１】
蓄熱剤が封入されたカプセルを樹脂材料に混入し、前記カプセルが分散した状態で前記樹脂材料を硬化させたことを特徴とする浴室用床パネル。
【発明の詳細な説明】
【技術分野】
【０００１】
本発明は浴室用床パネルに係り、更に詳しくは、湯水等から得られる廃熱を利用して乾燥性を向上させることのできる浴室用床パネルに関する。
【背景技術】
【０００２】
浴槽の洗い場領域を形成する浴室用床パネルは湯かかり領域となるため、浴槽使用後は、表面に水滴若しくは水膜からなる残水が形成される場合が一般的なものとなる。このような残水は、浴室用床パネルを形成する突部間に形成される溝において、排水の流速を遅く調整することで突部上の残水を少なくするとともに、溝内に流れる水が途切れることなく排水されて短時間での乾燥を実現しようとする浴室用床パネルが知られている（例えば、特許文献１）。
【０００３】
しかしながら、このような浴室用床パネルの場合には、排水の流れを遅く調整するため、突部の平面積についての設計上の自由度が制約される、という不都合がある。
【０００４】
そこで、別途に蓄熱部を設けて残水の乾燥効率を改善しようとする浴室用床パネルが提案されている（例えば、特許文献２）
【０００５】
【特許文献１】特許第３５０８７６１号公報
【特許文献２】特開平９−２５６４３８号公報
【発明の開示】
【発明が解決しようとする課題】
【０００６】
しかしながら、前記特許文献２に記載された構成にあっては、浴室用床パネルの上面側にシート状の蓄熱部を配置する構成であり、当該蓄熱部は、表裏のフィルム材間に蓄熱材を封入する構成となっている。そのため、浴室用床パネルの上にマット状の部材を単に配置しただけの状態となり、浴室用床パネルと蓄熱部との間の隙間に水が入り込み、却って乾燥性を低下させるばかりでなく、カビや異臭を発生させるという不都合を招来する。しかも、特許文献２の蓄熱材は、相変化を伴う材料が用いられているため、固体の場合と、液体の場合とで硬さが変化するため、踏み心地に違いが生じて転倒等の発生原因ともなる。また、浴室用床パネルの上面に蓄熱部を配置する構成であるため、浴室用床パネルとは別体となる構造により、コスト的な負担も増加するという不都合がある。
【０００７】
［発明の目的］
本発明は、このような不都合に着目して案出されたものであり、その目的は、成形品自体が蓄熱作用を発揮する構成とすることで、シンプルな構成とすることができるとともに、衛生上の不都合等を回避しつつ早期に乾燥させることのできる浴室用床パネルを提供することにある。
【０００８】
また、本発明の他の目的は、早期乾燥を実現することにより、表面形状となる突部や、突部間における溝の設計上の自由度を拡大することのできる浴室用床パネルを提供することにある。
【課題を解決するための手段】
【０００９】
前記目的を達成するため、本発明に係る浴室用床パネルは、蓄熱剤が封入されたカプセルを樹脂材料に混入し、前記カプセルが分散した状態で前記樹脂材料を硬化させる、という構成を採っている。
【発明の効果】
【００１０】
本発明によれば、蓄熱材が封入されたカプセルを浴室用床パネルの成形材料内に分散させているため、従来の成形方法と実質的に同一の方法にて浴室用床パネルを成形することができ、浴室用床パネルに接する湯水の温度から蓄熱を行って浴室用床パネルの乾燥性を高めることができる。
【発明を実施するための最良の形態】
【００１１】
以下、本発明の好ましい実施の形態について図面を参照しながら説明する。
【００１２】
図１には、本実施形態に係る浴室用床パネルが示されている。この図において、浴室用床パネル１０は、平面部１１と、当該平面部１１の外周に連なって一体成形された立ち上がり部１２と、平面部１１の下面側に設けられた脚部１３とを備えた受け皿状の外観形状をなすように設けられている。この浴室用床パネル１０は、合成樹脂材料に多数のカプセル１５が混入された状態で成形され、図２に示されるように、成形品において、カプセル１５が全領域で略等しく分散した状態となるように成形されている。なお、浴室用床パネル１０には、図示しない排水口が形成されるとともに、平面内で分散する多数の突部と、突部間に位置して排水口に向かって排水流路をなす溝が形成される。
【００１３】
前記カプセル１５には、蓄熱剤が封入されており、当該蓄熱剤により、浴室用床パネル１０に湯水がかけられた際の熱交換で蓄熱を行い、その後の放熱作用を介して浴室用床パネル１０上における残水の早期乾燥を促進するように構成されている。
【００１４】
以下に、本発明の実施例を比較例と共に示す。
【００１５】
［実施例１］
ポリエステル樹脂成分１００重量部に対し、低収縮剤１０重量部、酸化亜鉛３重量部、酸化マグネシウム１．５重量部、硬化剤１．１重量部、スチレン１０重量部、酸化アルミニウム２５重量部、酸化カルシウム２５重量部、ガラス繊維２０重量部、蓄熱カプセル（溶解温度２５℃）「三菱製紙社製」１５０重量部を混入したＳＭＣを用い、当該ＳＭＣを７０kg/cm2で鏡面板にて成型して浴室用床パネルを得た。
恒温恒湿槽内を３０℃に上げた後に、１０℃６０％に設定した恒温恒湿槽内で０．０２μｌの水を浴室用床パネルの表面におき、その乾燥までの時間を確認した。水滴は、マイクロシリンジで１０個滴下して試験を開始した。その乾燥試験結果を表１に示す。表１中の数字は、残存水滴数を示す。
【００１６】
［実施例２］
蓄熱カプセル（溶解温度１５℃）に変更した以外は、実施例１と同一の条件で成型を行った。乾燥試験結果を表１に示す。
【００１７】
［比較例１］
蓄熱カプセルを全く混入しない状態で、実施例１と同一の条件で成型を行った。乾燥試験結果を表１に示す。
【００１８】
【表１】
2006299621.tif 000003
【００１９】
以上の表から明らかなように、本発明によれば、蓄熱カプセルを混入していない従来タイプの浴室用床パネルに比べて早期に乾燥することが明らかである。
また、成形に際し、カプセルを成形材料の一部として混入させるだけであるため、従来と同様の成形方法にて浴室用床パネルを得ることができ、コスト増大を招くような不都合は生じない。
更に、蓄熱カプセルの放熱により、表面の乾燥性能を改善するものであるため、表面の突部や排水溝等の大きさ、形状等の自由度を拡大することができる。
【００２０】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【図面の簡単な説明】
【００２１】
【図１】実施形態に係る浴室用床パネルの概略斜視図。
【図２】図１のＡ−Ａ線に沿う矢視拡大断面図。
【符号の説明】
【００２２】
１０…浴室用床パネル、１１…平面部、１５…カプセル
【図１】
2006299621.tif 000004
【図２】
2006299621.tif 000005